(57)【要約】【課題】楽音装置の響板と他の側とが連結体で繋がれ、響板の振動／音が他の側によく伝わり、楽音装置全体としてよく音が出る。【解決手段】響板１１の内面中心と、響板１１と反対側の前面板６の内面との間には、両内面を繋ぐ真直ぐな連結棒１６が挟まれている。この連結棒１６によって、響板１１の振動／音が円滑に前面板６に伝わり、楽音装置全体から楽音が発せられる。電磁駆動ユニット１４に全周波数帯域信号を送り込んで響板１１を全周波数帯域で振動させ、響板１１の周波数特性を測定する。このうち、レベルの大きい凸部分の周波数の楽音信号を上記電磁駆動ユニット１４に送り込み、連結棒１６の響板１１への繋ぐ位置を順次切り換えていく。レベルの大きい凸部分の周波数特性のレベルが小さくなる位置を検索し、この検索された位置が上記連結棒１６の繋がれる位置とされる。【選択図】図３
2008175866.tif 000002
【特許請求の範囲】
【請求項１】
振動されて音を放射する平板状の楽器の響板と、
複数種類の楽音からなる楽音信号を機械的変化に変換して、上記楽器の響板を駆動させて音を放射させる変換体と、
上記響板の内面と、楽音装置における当該響板と反対側の面の内面との間に取り付けられた、両内面を繋ぐ細長い連結体とを備えた楽音装置につき、
上記連結体が取り付けられる前の上記響板の周波数特性を測定する工程と、
この測定されたレベルの異なる周波数特性のうち、レベルの大きい部分または小さい部分の周波数で当該響板を振動させて周波数特性を測定する工程と、
上記連結体が上記響板に当接する位置を切り換えて、このレベルの小さい部分の周波数特性のレベルが増加する、またはこのレベルの大きい部分の周波数特性のレベルが減少する位置を検索する工程と、
この検索された位置を上記連結体が繋がれる位置とする工程とを備えたことを特徴とする楽音装置の生産方法。
【請求項２】
上記響板の周波数特性を測定する工程と、
この測定されたレベルの異なる周波数特性のうち、レベルの大きい部分または小さい部分の周波数で当該響板を振動させて周波数特性を測定する工程と、
上記響板表面に取り付けられる響棒につき、この響棒が上記響板に当接する位置を切り換えて、このレベルの小さい部分の周波数特性のレベルが増加する、またはこのレベルの大きい部分の周波数特性のレベルが減少する位置を検索する工程と、
この検索された位置を上記響棒が取り付けられる位置とする工程とを備えたことを特徴とする請求項１記載の楽音装置の生産方法。
【請求項３】
上記響板表面に取り付けられる響棒が上記響板に取り付けられた後に、上記連結体は当該響板に繋げられることを特徴とする請求項１または２記載の楽音装置の生産方法。
【請求項４】
上記連結体は、レベルの小さい部分の周波数特性のレベルが増加する響板の位置に取り付けられ、
上記響板表面に取り付けられる響棒は、レベルの大きい部分の周波数特性のレベルが減少する響板の位置に取り付けられることを特徴とする請求項２または３記載の楽音装置の生産方法。
【請求項５】
振動されて音を放射する平板状の楽器の響板と、
複数種類の楽音からなる楽音信号を機械的変化に変換して、上記楽器の響板を駆動させて音を放射させる変換体と、
上記響板の内面と、楽音装置における当該響板と異なる面の内面との間に取り付けられた、両内面を繋ぐ細長い連結体とを備えたことを特徴とする楽音装置。
【請求項６】
上記響板は上記楽音装置の後面に取り付けられ、上記連結体は上記響板内面と当該楽音装置の前板内面との間に取り付けられることを特徴とする請求項５記載の楽音装置。
【請求項７】
上記響板の表面には複数の細長い響棒が取り付けられ、この響棒の各間隔は不均一であり、上記連結体または変換体はこの各響棒の間に取り付けられていることを特徴とする請求項５または６記載の楽音装置。
【請求項８】
上記楽音装置は、高音域から低音域までの音高の異なる複数の楽音の出力を指示する鍵盤を備え、
上記変換体からは主に低音域の楽音が出力されることを特徴とする請求項５、６または７記載の楽音装置。
【請求項９】
上記響板が取り付けられる楽音装置本体の、響板が取り付けられる側、上側、下側、右側、左側は隙間なく密封されていることを特徴とする請求項５、６、７または８記載の楽音装置。
【請求項１０】
上記響板が取り付けられる楽音装置本体の、響板が取り付けられる側と反対側には挿通穴が形成されていることを特徴とする請求項５、６、７、８または９記載の楽音装置。
【発明の詳細な説明】
【技術分野】
【０００１】
本件発明は、楽音装置に関し、特に、楽器の響板を振動させて、この響板から楽音を発音・放音させるものに関する。
【背景技術】
【０００２】
従来、このような響板（振動板）を振動させるものでは、ピアノの響板に電磁駆動体を接合し、この電磁駆動体に楽音信号を送り込んで、電磁駆動体ではなく、響板を振動させて、この響板から楽音を発音・放音させている。
【０００３】
【特許文献１】実開昭６０−１５０８９４号公報
【特許文献２】特開平８−１４６９４９号公報
【特許文献３】特開平８−１１１８９６号公報
【特許文献４】特開平４−１５６７９９号公報
【特許文献５】特開昭５３−６９６２４号公報
【特許文献６】特開平４−５６９９６号公報
【特許文献７】特開平５−８０７４８号公報
【特許文献８】特開平５−７３０３９号公報
【特許文献９】特願２００６−１８１１３５号（未公開）
【特許文献１０】特願２００６−１６００５４号（未公開）
【特許文献１１】特願２００６−１５１２８７号（未公開）
【特許文献１２】特願２００６−１４１９５４号（未公開）
【特許文献１３】特願２００６−１３５８９９号（未公開）
【発明の開示】
【発明が解決しようとする課題】
【０００４】
しかしながら、このような響板（振動板）で音を出してみると、実際のアコースティックな楽器の楽音と若干異なる楽音となっていた。
【課題を解決するための手段】
【０００５】
上記目的を達成するために、本件発明は、振動されて音を放射する平板状の楽器の響板と、複数種類の楽音からなる楽音信号を機械的変化に変換して、上記楽器の響板を駆動させて音を放射させる変換体と、響板の内面と、楽音装置における当該響板と異なる面の内面との間に取り付けられた、両内面を繋ぐ細長い連結体とを備えた。
【０００６】
また、本件発明は、上記連結体が取り付けられる前の上記響板の周波数特性を測定する工程と、この測定された凹凸のある周波数特性のうち、凹部分または凸部分の周波数で当該響板を振動させて周波数特性を測定する工程と、上記連結体が上記響板に当接する位置を切り換えて、この凹部分の周波数特性のレベルが増加する、またはこの凸部分の周波数特性のレベルが減少する位置を検索する工程と、この検索された位置を上記連結体が繋がれる位置とする工程とを備えた。
【発明の効果】
【０００７】
これにより、響板の振動／音が響板と異なる面によく伝わり、響板と異なる面からも音が良くでる。また、響板の振動が共振したりしてしまうことがなくなり、響板から発せられる楽音が不用意に変異してしまうことがなくなり、実際のアコースティックな楽器の楽音に近づけることができる。
【０００８】
さらに、響板の周波数特性が平坦となり、響板から出力される音の周波数／音高が変化しても、音量が不用意に変化してしまうことがなくなり、全周波数／全音高にわたって均一な音量特性を達成できる。
【０００９】
なお、本件明細書において、共振とは、楽音装置から発生される楽音に変異を与えてしまう異常な共振を意味し、共鳴とは異なり、本楽音装置の響板１１、前面板６、底板２、当接枠３、右下内側板４、左下内側板５、中天板７などの各部において、共鳴は積極的にまたは消極的に許容される。
【発明を実施するための最良の形態】
【００１０】
（１）楽音装置
図１は楽音装置の背面、図２は楽音装置の正面、図３、図４及び図５は楽音装置の縦断面、横断面を示す。楽音装置の細長い一対の木製などの足部１、１は水平方向に互いに平行に配置されている。この足部１、１の間を架渡すように木製などの底板２が木ねじ、ボルトまたは接着剤などで固定されている。
【００１１】
この底板２は水平に配置される細長い方形状であり、後縁には方形状の木製などの当接枠３が垂直方向に木ねじ、ボルトまたは接着剤などで固定されている。この底板２の左右両端と方形状の当接枠３の左右両縁面には、木ねじ、ボルトまたは接着剤などで垂直な木製などの右側板４と左側板５とが取り付けられている。
【００１２】
この底板２の前縁と右下内側板４と下内側板５の前縁には、木ねじ、ボルトまたは接着剤などで垂直な木製などの前面板６が取り付けられている。これら垂直な右下内側板４、下内側板５、前面板６、上記当接枠３の上縁は同じ高さとなっていて、これらの上には蓋をするように木製などの中天板７が木ねじ、ボルトまたは接着剤などで取り付けられている。
【００１３】
上記当接枠３の後面（背面も含む。以下同じ。）には、可撓性、弾性または／及びクッション性を有する介在帯８を間に挟んで、木製などの響板１１の縁の前面が当接される。響板１１の外縁は上記当接枠３の外縁より小さいまたはわずかに小さいので、響板１１は楽音装置本体つまり上記底板２、当接枠３、右下内側板４、下内側板５、前面板６、中天板７に全く接触しない状態となる。したがって、響板１１の音／振動が楽音装置本体に直接伝わらず、響板１１から発せられる楽音が不用意に変異したり音量が減少したりしてしまうことがなくなる。
【００１４】
上記響板１１は当接枠３に木ねじ２３などで押し付けて固定される。この場合、上記介在帯８の厚さは、０％乃至９０％圧縮する状態とされる。したがって、上記介在帯８、当接枠３及び響板１１の間に隙間がない状態とされる。これにより、上記介在体、当接体及び響板の間で、互いが振動でぶつかりあうことがなくなり、異常振動／異常音が発生してしまうことがなくなり、響板１１から発せられる楽音が不用意に変異したり音量が減少したりしてしまうことがなくなる。
【００１５】
上記響板１１及び当接枠３の全周縁には上記介在帯８が隙間なく介在されている。また響板１１が取り付けられる楽音装置本体の、響板１１が取り付けられる側／後側、上側、下側、右側、左側、つまり上記底板２、当接枠３、右下内側板４、下内側板５、前面板６、中天板７との間は隙間がなく密封されている。
【００１６】
したがって、響板１１の上下左右前の全周縁と楽音装置本体つまり上記当接枠３の間には隙間がなく密封される。これにより、響板１１の周囲から音が漏れることがなく、響板１１から発せられる楽音が不用意に変異したり音量が減少したりしてしまうことがなくなる。
【００１７】
響板１１の周囲から音が漏れると、この漏れ音は響板１１の内側から放射されたものであり、響板１１の外側からの音波とは位相が反転しているので、響板１１の周囲から音が漏れると響板１１の外面からの音を打ち消してしまうが、このような密封によってこの打消しは防止され、響板１１から発せられる楽音が不用意に変異したり音量が減少したりしてしまうことがなくなる。
【００１８】
上記前面板６の高さは低く上縁は切欠されて上記中天板７との間に隙間が形成され、水平方向に延びる挿通穴９が形成され、この挿通穴９内には両端と中に柱が４本立てられ、３つの挿通穴９に分割され、この挿通穴９はメッシュ状の布で覆われている。この挿通穴９は、響板１１が取り付けられる楽音装置本体の、響板１１が取り付けられる側と反対側に位置する。
【００１９】
これにより、響板１１からの音が挿通穴９より放射される。この挿通穴９からの音は響板１１の内側から放射されたもので、響板１１の外側からの音とは位相が反転されているが、挿通穴９からの音は響板１１の外面と反対側に放射され、響板１１の外面と同じ方向には放射されないので、これらの音は互いに打ち消しあったり悪影響を及ぼしあったりすることがなく、響板１１から発せられる楽音が不用意に変異したり音量が減少したりしてしまうことがなくなる。
【００２０】
上記中天板７の上には機構箱２１が設置されている。この機構箱２１の前面には鍵盤２２及びパネルスイッチ群などが取り付けられている。この機構箱２１の左右両側面及び上記右下内側板４、左下内側板５の外側には、右外側板２４、左外側板２５が接合されている。この機構箱２１の中には、鍵盤２２及びパネルスイッチ群の操作に応じた楽音信号を生成するための楽音制御回路、フィルタ、アンプ、スピーカーなどが内蔵されている。
【００２１】
したがって、上記楽音装置は鍵盤楽器であり、上記響板１１は、この鍵盤楽器の楽音装置の後面側／背面側に取り付けられていることになり、楽音装置の正面側の鍵盤２２の下側に上記挿通穴９が形成されていることになる。これにより、挿通穴９から放射された音（振動も含む。以下及び以上同じ）が、鍵盤２２などにも伝わり、実際のアコースティックな楽器、例えばグランドピアノやアップライトピアノのような演奏の感触を得ることができる。
【００２２】
（２）響板１１（背面放音体）
図３及び図５は楽音装置の縦断面を示す。振動されて音を放射する楽器の木製などの響板１１（背面放音体）は方形の平板状で、響板１１の外縁は上記当接枠３の外縁より小さいまたはわずかに小さい。響板１１の外周縁の後面側には四辺の木製などの枠棒１２…が木ねじ、ボルトまたは接着剤などで固定されている。これにより、響板１１の音が響板１１の四隅にまで円滑に伝わり、全体に均一に広がり、響板１１から発せられる楽音が不用意に変異したり音量が減少したりしてしまうことがなくなる。
【００２３】
この響板１１の後面には２本乃至８本、望ましくは３本乃至７本、より望ましくは４本乃至６本、さらに望ましくは５本の木製などの響棒１３…が木ねじ、ボルトまたは接着剤などで固定されている。これにより、響板１１の音が響板１１の一部に偏ることなく、全体に均一に広がり、響板１１から発せられる楽音が不用意に変異したり音量が減少したりしてしまうことがなくなる。
【００２４】
上記響棒１３…は、水平方向に対して２０度乃至７０度、望ましくは３０度乃至６０度、より望ましくは４０度ないし５０度傾斜している。これにより、響板１１の音が水平方向または／及び垂直方向に偏ることなく、全体に均一に広がり、響板１１から発せられる楽音が不用意に変異したり音量が減少したりしてしまうことがなくなる。なお、響板１１は長方形状なので、響板１１の音は水平方向または／及び垂直方向にもともと偏る性質がある。
【００２５】
上記響板１１には柾目があり、この柾目は斜め方向にそろっている。上記各響棒１３…は、これらの柾目とほぼ直交する方向に配置されている。これにより、響板１１の音は柾目に沿って伝播し易いが、各響棒１３…によって、柾目を跨いで音が伝播され、響板１１の音が偏ることなく、全体に均一に広がり、響板１１から発せられる楽音が不用意に変異したり音量が減少したりしてしまうことがなくなる。
【００２６】
この響棒１３…の両端縁は、上記枠棒１２…まで達している。これにより、上述の響板１１の音が水平方向または／及び垂直方向に偏ることが無いことが、響板１１の端縁まで達成でき、響板１１から発せられる楽音が不用意に変異したり音量が減少したりしてしまうことがなくなる。響棒１３…の両端は厚さが薄くなっている。これにより、響棒１３…自身の共振が防止され、響板１１から発せられる楽音が不用意に変異したり音量が減少したりしてしまうことがなくなる。
【００２７】
上記響棒１３…の各間隔は、１０ｃｍ乃至３０ｃｍであり、等間隔ではなく、不等間隔となっている。これにより、響棒１３…が振動の節となって、各響棒１３…の間で同じ周波数の音が共振してしまうことがなくなり、響板１１から発せられる楽音が不用意に変異したり音量が減少したりしてしまうことがなくなる。このような響棒１３…は響板１１の後面側以外に前面側に取り付けられてもよい。
【００２８】
上記響棒１３…の間隔は、楽音装置の左方、つまり図１の右方へ行くほど広くなっている。また、響板１１の図１の右下隅の三角形の大きさは、響板１１の図１の左上隅の三角形の大きさより大きい。これにより、響板１１の右方に行くにしたがって、音高の低い低音がより多く放射される。
【００２９】
上記鍵盤２２は、高音域から低音域までの音高の異なる複数の楽音の出力を指示するものであり、鍵盤２２の図２の左方、図１の右方へいくほど、より低い音高の楽音の低音が出力される。これにより、鍵盤２２の低音を出力する操作を行なう側に近い響板１１部分から、低音がより多く放射される。したがって、実際のピアノなどのアコースティック楽器に近い操作感触が得られる。
【００３０】
実際のピアノなどのアコースティック楽器では、操作している鍵盤２２自体に、発音している楽音の振動が直に伝わってくる。この伝達振動は、鍵盤２２の低音域を操作していると、この低音域の鍵に低音の振動が伝わってくるし、鍵盤２２の高音域を操作していると、この高音域の鍵に高音の振動が伝わってくるし、鍵盤２２の中音域を操作していると、この中音域の鍵に中音の振動が伝わってくる。これは、弦楽器、管楽器、打楽器でも同様である。このようなアコースティック楽器の生の演奏感覚を本楽音装置では得ることができる。
【００３１】
また、上述のように響棒１３…の各間隔は不均一であるから、響棒１３…の各間隔の響板１１部分から発せられる楽音に高さに違いが生じ、響板１１の振動が共振したりしてしまうことがなくなり、響板１１から発せられる楽音が不用意に変異したり音量が減少したりしてしまうことがなくなり、実際のアコースティックな楽器の楽音に近づけることができる。
【００３２】
響板１１の縦：横の比率は「１：２．５」であるが、「１：０．２５乃至５」、望ましくは「１：０．５乃至４」、より望ましくは「１：１乃至３」、さらに望ましくは「１：２乃至２．５」となる。響棒１３の間隔は、電磁駆動ユニット１４の直径の「１乃至３倍」、望ましくは「１乃至２倍」、より望ましくは「１乃至１．５倍」、さらに望ましくは「１乃至１．３倍」、よりさらに望ましくは「１乃至１．２倍」、さらにより望ましくは「１乃至１．１倍」とされる。響棒１３の本数が多くなると、響板１１の発生音量が低下するが、逆に響棒１３の本数が少なくなると、響板１１の音質が向上する。
【００３３】
（３）響棒１３の取り付け方法
上記響棒１３…の響板１１への取り付け位置は以下のようにして決定される。まず、響棒１３…が取り付けられる前の響板１１の周波数特性が測定される。この場合、楽音装置に響板１１が取り付けられている状態で、響板１１に取り付けられている上記電磁駆動ユニット１４に種々の周波数／音高の楽音信号、全周波数帯域／全音高の楽音信号またはホワイトノイズ信号を送り込んで響板１１を全周波数帯域で振動させる。
【００３４】
この響板１１の振動／音をマイクで拾い、拾った音を周波数帯域分析器（公知）で分析して響板１１の周波数特性を測定する。このような周波数特性はたとえば図９のような特性となる。この図９の周波数特性においては、通常は平坦になることはなく、レベルが異なって凹凸があり、レベルの大きい凸部分とレベルの小さい凹部分とができる。
【００３５】
このうち、レベルの大きい凸部分の中心周波数またはこの凸部分付近のみの複数の周波数を合成した楽音信号を上記電磁駆動ユニット１４に送り込み、この状態で、響棒１３の響板１１への当接位置／取り付け位置を順次切り換えていく。そうすると、このレベルの大きい凸部分の周波数特性のレベルが大きくなったり小さくなったりする。
【００３６】
ここで、図９の周波数特性が図６のように平坦になるように、上記レベルの大きい凸部分の周波数特性のレベルが小さくなる位置を検索し、この検索された位置が上記響棒１３の取り付けられる／当接される位置とされ、響棒１３の取り付け位置が決定される。
【００３７】
また、レベルの小さい凹部分の中心周波数またはこの凹部分付近のみの複数の周波数を合成した楽音信号を上記電磁駆動ユニット１４に送り込み、この状態で、響棒１３の響板１１への当接位置／取り付け位置を順次切り換えていく。そうすると、このレベルの小さい凹部分の周波数特性のレベルが大きくなったり小さくなったりする。
【００３８】
ここで、図９の周波数特性が図６のように平坦になるように、上記レベルの小さい凹部分の周波数特性のレベルが大きくなる位置を検索し、この検索された位置が上記響棒１３の取り付けられる／当接される位置とされ、響棒１３の取り付け位置が決定される。
【００３９】
このような工程が順次繰り返され、複数の響棒１３…の取り付け位置が順次決定されていく。このようにして響棒１３…の取り付け位置を決定し、響棒１３…及び響板１１の材質、寸法を変えずに、響棒１３…及び響板１１並びに楽音装置を生産していけば、これらは同様の平坦に補正／修正された周波数特性となる。
【００４０】
（４）電磁駆動ユニット（変換体／電磁駆動体／背面放音体）１４
図１及び図４などには電磁駆動ユニット１４の響板１１への取り付け位置が示されている。上記響板１１の響棒１３…の間の前面（上／表面）には、電磁駆動ユニット（変換体／電磁駆動体／背面放音体）１４が木ねじ、ボルトなどで取り付けられている。この取り付け機構は、特願２００６−１８１１３５号、特願２００６−１６００５４号、特願２００６−１５１２８７号、特願２００６−１４１９５４号、特願２００６−１３５８９９号などに示されている。
【００４１】
電磁駆動ユニット１４の外形は円柱状の本体ケースとこの本体ケースの側面に設けられている円形の平坦な振動板とからなっている。電磁駆動ユニット１４の中にはコイルと磁石とが内蔵され、上記本体ケース及び振動板の一方にコイルが連結され他方に磁石が連結される。
【００４２】
上記コイルに複数種類の楽音からなる楽音信号が流れると、コイルに生じる磁界と磁石の磁界との相互作用によって、コイルまたは磁石が振動／駆動／変位し、本体ケースに対して振動板が振動／駆動／変位する。振動板を上記響板１１に直接または連結部材を介して接合（取付け／連結／接着を含む）させる。したがって、電磁駆動ユニット１４は、複数種類の楽音からなる楽音信号を機械的変化に変換して、楽器の響板１１を駆動させて音を放射させる。
【００４３】
これにより、振動板及び響板１１を電磁駆動させて振動させることができる。電磁駆動ユニット１１は、スピーカーとは異なり、それ自体は発音／放音せず、接合された他の物体を電磁駆動させて振動させ発音／放音させるものである。このような電磁駆動ユニット１１は、特開平８−１４６９４９号公報、特開平８−１１１８９６号公報などに開示されている。
【００４４】
この電磁駆動ユニット１４からは、上述のように低音が主に出力放射される。この電磁駆動ユニット１４は、図１において響板１１の中心からやや右上にずれた位置の内面、響棒１３…と反対側に取り付けられていて、上記鍵盤２２の低音域側に寄った位置の響板１１にこの電磁駆動ユニット１４が取り付けられている。
【００４５】
これにより、響板１１の中心から図１の右方にずれて寄った位置から低音が出力放射される。これにより、鍵盤２２の低音を出力する操作を行なう側に近い響板１１部分から、低音がより多く放射される。したがって、実際のピアノなどのアコースティック楽器に近い操作感触が得られる。
【００４６】
また、電磁駆動ユニット１４は、響板１１の中心から図１の上方にずれて寄った位置に取り付けられているから、響板１１のやや上方から低音が出力放射され、実際のピアノなどのアコースティック楽器に近い発音状態が得られる。なぜなら、実際のグランドピアノやアップライトピアノでは、楽器の下の方ではなく、中央付近に弦が配置され、この中央付近から音が出るようになっているからである。
【００４７】
また、電磁駆動ユニット１４が響板１１の中心からずれた位置に取り付けられているので、響板１１の振動が共振したりしてしまうことがなくなり、響板１１から発せられる楽音が不用意に変異したり音量が減少したりしてしまうことがなくなり、実際のアコースティックな楽器の楽音に近づけることができる。
【００４８】
この電磁駆動ユニット１４は、響棒１３の間に取り付けられている。これにより、響板１１を電磁駆動ユニット１４で振動させてから、この響板１１の振動が響棒１３…を通じて響板１１全体に伝達され、響板１１より響棒１３の方が先に音が伝達されることがなくなり、響板１１全体に音が均一に伝わることができる。
【００４９】
この電磁駆動ユニット１４を挟む上記２つの響棒１３、１３のうち、上側の響棒１３に若干近い位置に取り付けられている。これにより、２つの響棒１３、１３の間の響板１１部分の振動が共振したりしてしまうことがなくなり、響板１１部分から発せられる楽音が不用意に変異したり音量が減少したりしてしまうことがなくなり、実際のアコースティックな楽器の楽音に近づけることができる。
【００５０】
この電磁駆動ユニット１４は、響板１１の中心から図１の上方にずれて寄った位置に取り付けられているから、楽音装置の前の前面板６の上方の挿通穴９に近い位置に取り付けられることになる。これにより、挿通穴９から放射される音／楽音がより大きくなる。なお、電磁駆動ユニット１４は挿通穴９に対向する位置に取り付けられてもよい。
【００５１】
（５）上面スピーカー３１Ｌ、３１Ｒ、３２Ｌ、３２Ｒ（上面放音体）
図７は楽音装置の上面を示す。上記楽音装置の上面であって、鍵盤２２の近傍には平板状の譜面台３６が取り付けられ、楽音装置の上面上で倒されたり起立されたりできるようになっている。この譜面台３６の長さは、楽音装置の上面の幅のほぼ半分で、譜面台３６の高さは、機構箱２１の高さとほぼ同じまたは楽音装置の上面の奥行きよりやや小さくなっている。この譜面台３６が起立されたとき、背側／後方へ若干傾斜している。
【００５２】
楽音装置の上面の背側の機構箱２１内には、４つの穴があけられて、４つの上面スピーカー（上面放音体）３１Ｌ、３１Ｒ、３２Ｌ、３２Ｒが一列に並んで上向きに取り付けられている。この４つの上面スピーカー３１Ｌ、３１Ｒ、３２Ｌ、３２Ｒのうち、内側の２つ３１Ｌ、３１Ｒは、上記譜面台３６の後方／背側で、譜面台３６の左右縁より内側であって、譜面台３６の背後に位置し、外側の２つ３２Ｌ、３２Ｒは、上記譜面台３６の後方／背側で、譜面台３６の左右縁より外側であって、譜面台３６の側部に位置している。
【００５３】
したがって、４つの上面スピーカー３１Ｌ、３１Ｒ、３２Ｌ、３２Ｒのうち内側の２つ３１Ｌ、３１Ｒからの音は、起立された譜面台３６で反射して背側／後方へ主に放射され、４つの上面スピーカー３１Ｌ、３１Ｒ、３２Ｌ、３２Ｒのうち外側の２つ３２Ｌ、３２Ｒからの音は、起立された譜面台３６にあまり関係なく、上方へ主に放射される。これにより、楽音装置の後方と上方とに音が放射されて拡散され、臨場感のある演奏を実現できる。
【００５４】
しかも、４つの上面スピーカー３１Ｌ、３１Ｒ、３２Ｌ、３２Ｒのうち内側の２つ３１Ｌ、３１Ｒには、音像を形成するための複数のチャンネル信号がそれぞれ送られるので、内側の２つ３１Ｌ、３１Ｒで音像が形成され、外側の２つ３２Ｌ、３２Ｒにも、同様に音像を形成するための複数のチャンネル信号がそれぞれ送られるので、外側の２つ３２Ｌ、３２Ｒで音像が形成され、楽音装置の後方と上方とに音像が形成され、臨場感のある演奏を実現できる。
【００５５】
この４つの上面スピーカー３１Ｌ、３１Ｒ、３２Ｌ、３２Ｒには同じ周波数帯域の楽音信号が送り込まれる。したがって、楽音装置の後方と上方とに同じ周波数帯域における音像が形成され、臨場感のある演奏を実現できる。しかし、内側の２つ３１Ｌ、３１Ｒと外側の２つ３２Ｌ、３２Ｒとで、異なる周波数帯域の楽音信号が送り込まれてもよい。これにより、楽音装置の後方と上方とに異なる周波数帯域における音像が形成され、臨場感のある演奏を実現できる。
【００５６】
なお、上面スピーカー３１Ｌ、３１Ｒ、３２Ｌ、３２Ｒの数は増えても良い。この場合、譜面台３１の背側／後方の上面スピーカー３１Ｌ、３１Ｒの数が増えてもよいし、譜面台３２の側部の上面スピーカー３２Ｌ、３２Ｒの数が増えてもよい。また、上面スピーカー３１Ｌ、３１Ｒ、３２Ｌ、３２Ｒのいずれかまたは両方は省略されても良い。
【００５７】
さらに、上面スピーカー３１Ｌ、３１Ｒ、３２Ｌ、３２Ｒは譜面台３６の手前に設けられてもよいし、楽音装置の前面側または後面側／背面側に設けられてもよい。上面スピーカー３１Ｌ、３１Ｒ、３２Ｌ、３２Ｒはツィーターであってもよい。なお、スピーカーはツィーターも含む概念である。
【００５８】
（６）前面ツィーター３３Ｌ、３３Ｒ（前面放音体）
上記楽音装置の前面の機構箱２１内には、２つの穴があけられて、２つの前面ツィーター３３Ｌ、３３Ｒが左右に離間されて前向きに取り付けられている。この２つの前面ツィーター３３Ｌ、３３Ｒには、音像を形成するための複数のチャンネル信号がそれぞれ送られるので、２つの前面ツィーター３３Ｌ、３３Ｒで、楽音装置の前方に音像が形成され、臨場感のある演奏を実現できる。
【００５９】
この前面ツィーター３３Ｌ、３３Ｒは、上記外側の上面スピーカー３２Ｌ、３２Ｒよりさらに外側に位置している。したがって、上面スピーカー３１Ｌ、３１Ｒ、３２Ｌ、３２Ｒによって形成される音像より、前面ツィーター３３Ｌ、３３Ｒによって形成される音像の方が、楽音装置からより離間されて形成され、楽音装置に対して垂直方向より水平方向により音像の拡がりが達成される。
【００６０】
この前面ツィーター３３Ｌ、３３Ｒに送り込まれる楽音信号の周波数帯域は、上記４つの上面スピーカー３１Ｌ、３１Ｒ、３２Ｌ、３２Ｒに送り込まれる楽音信号の周波数帯域より高い。これにより、楽音装置の前方と上方／後方とに異なる周波数帯域における音像が形成され、臨場感のある演奏を実現できる。しかも放射方向によって、音の周波数帯域が異なるから、楽音装置からの方向によって、聞こえる音／音高が異なり、拡散性と臨場感のある演奏を実現できる。
【００６１】
なお、前面ツィーター３３Ｌ、３３Ｒは、上記外側の上面スピーカー３１Ｌ、３１Ｒ、３２Ｌ、３２Ｒまたは上面スピーカー３１Ｌ、３１Ｒよりさらに内側に位置していてもよい。また、前面ツィーター３３Ｌ、３３Ｒの数は増えても良い。さらに、前面ツィーター３３Ｌ、３３Ｒは省略されても良い。前面ツィーター３３Ｌ、３３Ｒは、スピーカーであってもよい。
【００６２】
上記上面スピーカー３１Ｌ、３１Ｒ、３２Ｌ、３２Ｒの前上は段差になっていて、上記機構箱２１のこの段差部分の縦面には放熱網３７が取り付けられている。この放熱網３７からは、機構箱２１内の楽音制御回路（駆動回路）、フィルタ、アンプ、上面スピーカー３１Ｌ、３１Ｒ、３２Ｌ、３２Ｒ、前面ツィーター３３Ｌ、３３Ｒからの熱が放射される。
【００６３】
（７）連結棒１６（連結体）
上記響板１１の内面中心と、響板１１と反対側の前面板６の内面との間には、両内面を繋ぐ真直ぐな連結棒１６が挟まれている。この連結棒１６は、響板１１の内面と前面板６の内面とに対して、接着剤、木ねじ、ボルトなどで固定されたり、響板１１と前面板６とで挟持されたりされる。
【００６４】
この連結棒１６は、上記響棒１３と同じ材質または異なる材質とされ、木材のほか、金属、樹脂などからなり、細長い正方形柱状となっている。この連結棒１６によって、響板１１の振動／音が円滑に前面板６に伝わり、響板１１の振動／音を打ち消したり障害となったりするように、前面板６が振動してしまうのが防止され、楽音装置全体から発せられる楽音が不用意に変異したり音量が減少したりしてしまうことがなくなる。
【００６５】
響板１１の中心は、前面板６の中心とはずれているので、連結棒１６を響板１１の中心または前面板６の中心に取り付けても、響板１１と前面板６とが共振してしまうことがなく、楽音装置全体から発せられる楽音が不用意に変異したり音量が減少したりしてしまうことがなくなる。
【００６６】
このような連結棒１６は、響板１１の中心のほか、前面板６の中心、響板１１／前面板６の中心より上／下／左／右／左上／左下／右上／右下にずれた位置、上縁／下縁／左縁／右縁／左上隅／左下隅／右上隅／右下隅に取り付けられてもよい。このように、連結棒１６が響板１１の中心及び前面板６の中心からずれていれば、響板１１と前面板６とが共振してしまうことがなく、楽音装置全体から発せられる楽音が不用意に変異したり音量が減少したりしてしまうことがなくなる。
【００６７】
さらに、この連結棒１６は、挿通穴９の下側の中央／中央やや右／中央やや左／右端／左端にとりつけられてもよい。このように、連結棒１６が挿通穴９付近に設けられていれば、挿通穴９からの放射音量が大きくなる。
【００６８】
このような連結棒１６は、響板１１の響棒１３の裏側に取り付けられてもよい。これにより、響板１１の振動／音がより速く前面板６に伝播される。また、この連結棒１６は、電磁駆動ユニット１４の背面と前面板６内面とを繋ぐように取り付けられてもよいし、電磁駆動ユニット１４の上／下／左／右／左上／左下／右上／右下に取り付けられてもよい。これにより、電磁駆動ユニット１４の振動／音がより速く前面板６に伝播される。
【００６９】
このような連結棒１６は、響板１１、前面板６、電磁駆動ユニット１４、底板２、右下内側板４、左下内側板５、中天板７、鍵盤２２、右外側板２４、左外側板２５に対して垂直に設けられるほか、斜めに設けられてもよいし、複数本も受けられてもよい。連結棒１６は響棒１３より太くても細くてもよい。連結棒１６は、真直ぐなもののほか、湾曲していてもよい。
【００７０】
さらに、連結棒１６は、上記響棒１３…のいずれかに連結されるように設けられてもよいし、響棒１３と連結されないように、響棒１３…の間に取り付けられてもよい。また、連結棒１６は、響棒１３…のいずれかが取り付けられている位置の響板１１の反対側面に取り付けられてもよいし、響棒１３…が取り付けられていない位置つまり響棒１３…の間の響板１１の反対側面に取り付けられてもよい。
【００７１】
また、連結棒１６は、響板１１内面、前面板６内面のほか、底板２、右下内側板４、左下内側板５、中天板７、鍵盤２２、右外側板２４、左外側板２５などの内面に繋がれて連結されてもよい。
【００７２】
連結棒１６の断面形状は方形、三角形、多角形、円形、楕円、半円形、かまぼこ形、扇形など細長ければどのような形状でもよい。連結棒１６の太さは均一でもよいし、細い太いが交互に入れ換わったり、中央が細くなったり太くなったり、端が太くなったり細くなったりしていてもよい。
【００７３】
このような連結棒１６が連結される響板１１と楽音装置本体との間は、可撓性、弾性または／及びクッション性のある介在帯８が挟まれているので、響板１１の振動／音が連結棒１６を通じて楽音装置本体に伝播されても、介在帯８によって響板１１にこの振動／音が再び伝わるのが防止され、響板１１が共振するのが防止され、楽音装置全体から発せられる楽音が不用意に変異したり音量が減少したりしてしまうことがなくなる。
【００７４】
連結棒１６の両端と響板１１または／及び前面板６との間にも、介在帯８が挟まれてもよい。また、連結棒１６が長手方向に分割され、この複数の連結棒１６の間にも介在帯８が挟まれてもよい。これにより、響板１１の振動に抵抗／ブレーキがかかることがなくなる。
【００７５】
この連結棒１６で繋がれて連結される響板１１と前面板６とは、響板１１の方が柔らかく前面板６の方が硬い。これにより、響板１１の方が音／振動に対して即応性／応答性が良くなり、前面板６の方の残響が長くなる。なお、逆に響板１１の方が硬く前面板６の方が柔らかくてもよいし、両者同じ硬さでもよい。
【００７６】
（８）連結棒１６（連結体）の取り付け方法
上記連結棒１６の取り付け位置は以下のようにして決定される。まず、連結棒１６が取り付けられる前の響板１１の周波数特性が測定される。この場合、楽音装置に響板１１が取り付けられている状態で、響板１１に取り付けられている上記電磁駆動ユニット１４に種々の周波数／音高の楽音信号、全周波数帯域／全音高の楽音信号またはホワイトノイズ信号を送り込んで響板１１を全周波数帯域で振動させる。
【００７７】
この響板１１の振動／音をマイクで拾い、拾った音を周波数帯域分析器（公知）で分析して響板１１の周波数特性を測定する。このような周波数特性はたとえば図１０のような特性となる。この図１０の周波数特性においては、通常は平坦になることはなく、レベルが異なって凹凸があり、レベルの大きい凸部分とレベルの小さい凹部分とができる。
【００７８】
このうち、レベルの大きい凸部分の中心周波数またはこの凸部分付近のみの複数の周波数を合成した楽音信号を上記電磁駆動ユニット１４に送り込み、この状態で、連結棒１６の響板１１への当接位置／連結位置／繋ぐ位置を順次切り換えていく。そうすると、このレベルの大きい凸部分の周波数特性のレベルが大きくなったり小さくなったりする。
【００７９】
ここで、図１０の周波数特性が図６のように平坦になるように、上記レベルの大きい凸部分の周波数特性のレベルが小さくなる位置を検索し、この検索された位置が上記連結棒１６の繋がれる／連結される／当接される位置とされ、連結棒１６の取り付け位置が決定される。
【００８０】
また、レベルの小さい凹部分の中心周波数またはこの凹部分付近のみの複数の周波数を合成した楽音信号を上記電磁駆動ユニット１４に送り込み、この状態で、連結棒１６の響板１１への当接位置／連結位置／繋ぐ位置を順次切り換えていく。そうすると、このレベルの小さい凹部分の周波数特性のレベルが大きくなったり小さくなったりする。
【００８１】
ここで、図１０の周波数特性が図６のように平坦になるように、上記レベルの小さい凹部分の周波数特性のレベルが大きくなる位置を検索し、この検索された位置が上記連結棒１６の繋がれる／連結される／当接される位置とされ、連結棒１６の取り付け位置が決定される。
【００８２】
このようにして、連結棒１６の取り付け位置が決定されるが、上述のうちレベルの大きい凸部分の周波数特性のレベルが小さくなる位置、レベルの小さい凹部分の周波数特性のレベルが大きくなる位置、いずれが選ばれるかは、レベルの大きい凸部分とレベルの小さい凹部分とのいずれがより突出しているかなどの所定の条件によって決定される。
【００８３】
この場合、両方の位置に連結棒１６が取り付けられてもよいし、さらに他のレベルの大きい凸部分の周波数特性のレベルが小さくなる位置、他のレベルの小さい凹部分の周波数特性のレベルが大きくなる位置にも連結棒１６が取り付けられてもよい。
【００８４】
このようにして連結棒１６の取り付け位置を決定し、連結棒１６及び響板１１の材質、寸法を変えずに、連結棒１６及び響板１１並びに楽音装置を生産していけば、これらは同様の平坦に補正／修正された周波数特性となる。
【００８５】
上記響棒１３…は、主にレベルの大きい凸部分の周波数特性のレベルが小さくなる響板１１の位置に取り付けられ、連結棒１６は、主にレベルの小さい凹部分の周波数特性のレベルが大きくなる響板１１の位置に取り付けられる。なぜなら、響棒１３…は、音を響板１１全体に分散させる機能が比較的高く、連結棒１６は、響板１１の音を前面板６に共鳴させて楽音装置全体の音量を増大させる機能が比較的高いからである。
【００８６】
むろん、上記響棒１３…は、主にレベルの小さい凹部分の周波数特性のレベルが大きくなる響板１１の位置に取り付けられ、連結棒１６は、主にレベルの大きい凸部分の周波数特性のレベルが小さくなる響板１１の位置に取り付けられてもよい。
【００８７】
上記連結棒１６は、響棒１３と連結されないように、響棒１３…の間に取り付けられたり、響棒１３…が取り付けられていない位置つまり響棒１３…の間の響板１１の反対側面に取り付けられたりする。これにより、響板１１全体の音／振動をほぼ均一に前面板６に伝えることができる。
【００８８】
これに対して、連結棒１６は、上記響棒１３…のいずれかに連結されるように設けられてもよいし、響棒１３…のいずれかが取り付けられている位置の響板１１の反対側面に取り付けられてもよい。これにより、当該連結される響棒１３で補正されるレベルの小さい凹部分またはレベルの大きい凸部分の周波数が前面板６に主によく伝達される。
【００８９】
上記響棒１３…が上記響板１１に取り付けられた後に、上記連結棒１６は当該響板１１と前面板６との間に繋げられ取り付けられる。これにより、響棒１３…である程度平坦にしたまたは凸部分を均した周波数特性の音響を前面板６に伝えることができる。つまり、響棒１３…の調整で響板１１の周波数特性を整えた後に、連結棒１６の調整で楽音装置全体の周波数特性を整えることができる。
【００９０】
これに対して、上記響棒１３…が上記響板１１に取り付けられる前に、上記連結棒１６は当該響板１１と前面板６との間に繋げられ取り付けられてもよい。これにより、連結棒１６である程度平坦にしたまたは凹部分を均した周波数特性の音響を響板１１の周波数特性とすることができる。つまり、連結棒１６の調整で楽音装置全体の周波数特性を整えた後に、響棒１３…の調整で響板１１の周波数特性を整えることができる。
【００９１】
（９）介在帯（介在体）８
上記介在帯（介在体）８は、発泡ウレタン樹脂、ゴム、発泡ウレタン製、ウレタンエラストマー製、スチレン系ポリマー、エポキシ、塩化ビニール、酢酸ビニール、合成ゴムなどの可撓性、弾性または／及びクッション性のある軟質樹脂製、布、紙、パルプなどからなっている。
【００９２】
この介在帯８の密度は例えば２４０ｋｇ／ｍ3、２５％圧縮荷重は例えば０．０４Ｍｐａ、引張り強度は例えば０．５４Ｍｐａ、伸びは例えば１１５％、引裂強度は例えば１．８Ｎ／ｍｍ、圧縮残留歪は例えば２．７％（７０℃×２２ｈｒ、５０％圧縮にて測定）、圧縮永久歪みは例えば７．６％、厚み公差は例えば±１０％である。この介在帯８の厚さは例えば１．０ｍｍ乃至１０．０ｍｍ、望ましくは２．０ｍｍ乃至７．０ｍｍ、より望ましくは３．０ｍｍ乃至４．０ｍｍである。
【００９３】
次述する圧縮された状態においては、介在帯８の厚みは少なくとも０．５ｍｍ以上必要となる。次述する０％圧縮のときは、介在帯８の厚みは少なくとも０．５ｍｍ以上必要となる。次述する９０％圧縮のときは、介在帯８の厚みは少なくとも５．０ｍｍ以上必要となる。
【００９４】
上記響板１１は当接枠３に木ねじなどで押し付けて固定される。この場合、上記介在帯８の厚さは、０％乃至９０％、望ましくは０％乃至８０％、より望ましくは０％乃至７０％、さらに望ましくは０％乃至６０％、よりさらに望ましくは０％乃至５０％、さらにより望ましくは０％乃至４５％、よりさらに望ましくは０％乃至４０％、さらにより望ましくは０％乃至３５％、よりさらに望ましくは０％乃至３０％、さらにより望ましくは０％乃至２５％、よりさらに望ましくは０％乃至２０％、さらにより望ましくは０％乃至１５％、よりさらに望ましくは０％乃至１０％圧縮する状態とされる。
【００９５】
または、上記介在帯８の厚さは、０％乃至９０％、望ましくは０％乃至８０％、より望ましくは１％乃至７０％、さらに望ましくは１％乃至６０％、よりさらに望ましくは２％乃至５０％、さらにより望ましくは２％乃至４５％、よりさらに望ましくは３％乃至４０％、さらにより望ましくは３％乃至３５％、よりさらに望ましくは４％乃至３０％、さらにより望ましくは４％乃至２５％、よりさらに望ましくは５％乃至２０％、さらにより望ましくは５％乃至１５％、よりさらに望ましくは６％乃至１０％圧縮する状態とされる。
【００９６】
この介在帯８の厚さの圧縮率が小さいと、上記介在帯８、当接枠３及び響板１１の間で、互いが振動でぶつかりあう可能性が高くなるが、０％でも振動でぶつかりあう可能性はあまりない。この介在帯８の厚さの圧縮率が大きいと、上記響板１１から当接枠３へ振動が伝わり易くなって、響板１１から発せられる楽音が不用意に変異したり音量が減少したりしてしまう可能性が高くなるが、圧縮率が９０％を超えず、厚みが０．５ｍｍ以上であれば、響板１１から発せられる楽音が不用意に変異したり音量が減少したりしてしまうことが防止される効果は維持される。
【００９７】
したがって、上記介在帯８、当接枠３及び響板１１の間に隙間がない状態とされる。これにより、上記介在帯８、当接枠３及び響板１１の間で、互いが振動でぶつかりあうことがなくなり、異常振動／異常音が発生してしまうことがなくなり、響板１１から発せられる楽音が不用意に変異したり音量が減少したりしてしまうことがなくなる。
【００９８】
上記楽音装置本体の当接枠３と響板１１との間には、この可撓性、弾性または／及びクッション性のある介在帯８が介在されているので、響板１１は楽音装置本体つまり当接枠３に直接接触しない状態となる。
【００９９】
したがって、響板１１の音／振動が楽音装置本体に直接伝わらず、響板１１から発せられる楽音が不用意に変異したり音量が減少したりしてしまうことがなくなる。このような介在帯８が無いと、響板１１の振動に抵抗／ブレーキがかかって音量が低下してしまうが、このような介在帯８があると、響板１１の振動に抵抗／ブレーキがかからず、音量が大きくなる。
【０１００】
（１０）挿通穴９
図６は響板１１から放射される音の周波数特性を示す。図６の実線は挿通穴９があるときの特性で、同図の破線は挿通穴９がないときの特性を示す。挿通穴９を楽音装置本体の前面に設けると、響板１１の周波数特性において、１３０Ｈｚ乃至１５０Ｈｚ（１４０Ｈｚ付近）から１８０Ｈｚ付近の音量が増加する。
【０１０１】
この挿通穴９からの音と響板１１からの音は同じ音であるが、挿通穴９からの音は響板１１の内側から放射されたもので、響板１１の外側からの音とは位相が反転されているが、挿通穴９からの音は響板１１の外面と反対側に放射され、響板１１の外面と同じ方向には放射されないので、これらの音は互いに打ち消しあったり悪影響を及ぼしあったりすることがなく、響板１１から発せられる楽音が不用意に変異したり音量が減少したりしてしまうことがなくなる。
【０１０２】
このような挿通穴９は前面板６の上縁であって、鍵盤２２の下または上といった、鍵盤２２により近い箇所が望ましい。これにより、演奏者自身が自分の弾いている音に包み込まれるような感触が得られ、実際のアコースティックな楽器に近い演奏感触が得られる。
【０１０３】
この挿通穴９は上述のように三分割されて挿通穴９の個数は３個であり、各挿通穴９の縦は約７ｃｍで、各挿通穴９の横は前面板６の幅のほぼ１／３である。この挿通穴９の縦または横の寸法を大きくしたり挿通穴９の個数を増やしたりすると、上記１３０Ｈｚ乃至１５０Ｈｚ（１４０Ｈｚ付近）から１８０Ｈｚ付近より低音の音量が増加するなど、特定の周波数成分が増減するといったように、周波数特性が様々に変化する。
【０１０４】
この挿通穴９の縦または横の寸法を小さくしたり挿通穴９の個数を減らしたりすると、上記１３０Ｈｚ乃至１５０Ｈｚ（１４０Ｈｚ付近）から１８０Ｈｚ付近より、より高音の音量が増加するなど、特定の周波数成分が増減するといったように、周波数特性が様々に変化する。このようにして、図６の周波数特性全体をフラットにするまたはイコライザー化するように、この挿通穴９の寸法と個数が決定される。
【０１０５】
この挿通穴９は、前面板６の中央、左側、右側、下側、中央やや左側、中央やや右側、中央やや下側、中央やや上側などに設けられてもよい。また挿通穴９の形状は垂直方向、斜め方向、円形、楕円形、多角形などどのような形状でもよい。さらに、挿通穴９は単数または複数いずれでもよく、挿通穴９の一部または全体が省略されても良い。
【０１０６】
（１１）駆動回路
図８は、電磁駆動ユニット１４、上面スピーカー３１Ｌ、３１Ｒ、３２Ｌ、３２Ｒ、前面ツィーター３３Ｌ、３３Ｒの駆動回路（楽音制御回路）を示す。パンポット回路４１からは、デジタルから変換されたアナログの、音像を形成するための複数の左右のチャンネル楽音信号が出力される。
【０１０７】
パンポット回路４１からの左の楽音信号Ｌは、左ＤＳＰフィルタ４２Ｌでフィルタ制御され、図６に示すように、左４バンドイコライザー４３Ｌで周波数特性が平坦にされ、左アンプ４４Ｌで増幅されて、左側の２つの上面スピーカー３１Ｌ、３２Ｌから放音出力される。また、左アンプ４４Ｌの出力は、左ネットワークフィルタ４５Ｌでフィルタ制御され、左側の前面ツィーター３３Ｌから放音出力される。「ＤＳＰ」はデジタルシグナルプロセッサを意味する。
【０１０８】
パンポット回路４１からの右の楽音信号Ｒは、右ＤＳＰフィルタ４２Ｒでフィルタ制御され、図６に示すように、右４バンドイコライザー４３Ｒで周波数特性が平坦にされ、右アンプ４４Ｒで増幅されて、右側の２つの上面スピーカー３１Ｒ、３２Ｒから放音出力される。また、右アンプ４４Ｒの出力は、右ネットワークフィルタ４５Ｒでフィルタ制御され、右側の前面ツィーター３３Ｒから放音出力される。
【０１０９】
また、パンポット回路４１からの左の楽音信号Ｌと右の楽音信号Ｌは合成されて、図６に示すように、３バンドイコライザー４６で周波数特性が平坦にされ、アンプ４７で増幅されて、上記電磁駆動ユニット１４に送られ、上記響板１１から放音出力される。
【０１１０】
ネットワークフィルタ４５Ｌ、４５Ｒでは、高音が抽出され、中音と低音がカットされ、図６に示すように、６ｋＨｚ乃至１５ｋＨｚの音が、左４バンドイコライザー４３Ｌ及び右４バンドイコライザー４３Ｒで、周波数特性が平坦にされ、前面ツィーター３３Ｌ、３３Ｒから出力される。
【０１１１】
左ＤＳＰフィルタ４２Ｌ及び右ＤＳＰフィルタ４２Ｒでは、レジスタ４８から送られてくるフィルタ設定データに基づいて、カットオフ周波数または／及び減衰量が制御され、図６に示すように、１８０Ｈｚ乃至６ｋＨｚの音が、左４バンドイコライザー４３Ｌ及び右４バンドイコライザー４３Ｒで、周波数特性が平坦にされ、上面スピーカー３１Ｌ、３１Ｒ、３２Ｌ、３２Ｒから出力される。
【０１１２】
また、左ＤＳＰフィルタ４２Ｌ及び右ＤＳＰフィルタ４２Ｒでは、レジスタ４８から送られてくるフィルタ設定データに基づいて、カットオフ周波数または／及び減衰量が制御され、図６に示すように、５０Ｈｚ乃至１８０Ｈｚの音が、３バンドイコライザー４６で、周波数特性が平坦にされ、電磁駆動ユニット１４及び響板１１から出力される。
【０１１３】
楽音装置前面のパネルスイッチ群には、本楽音装置が壁に接近して設置されたときに、操作される切換スイッチ４９が設けられている。この切換スイッチ４９のオンデータは、デコーダ５０でカットオフ周波数変更または／及び減衰量変更のフィルタ制御データに変換され、上記レジスタ４８にストアされる。
【０１１４】
また、本楽音装置の背面または上面には、超音波センサーまたは細長い突起などによる壁接近センサー５１が設けられている。この壁接近センサー５１のオンデータは、デコーダ５０でカットオフ周波数変更または／及び減衰量変更のフィルタ制御データに変換され、上記レジスタ４８にストアされる。
【０１１５】
このフィルタ制御データは、例えば、１８０Ｈｚ〜６ｋＨｚの中音の成分の減衰量／レベルを下げるものであり、これにより、本楽音装置が壁に接近して設置されたとき、上面スピーカー３１Ｌ、３１Ｒ、３２Ｌ、３２Ｒからの中音域の放音量が低下される。
【０１１６】
このような左ＤＳＰフィルタ４２Ｌ及び右ＤＳＰフィルタ４２Ｒは、内側の上面スピーカー３１Ｌ、３１Ｒの入力端だけに設けられても良い。これにより譜面台３６の背面の中音域の音量のみを減少させ、壁に反射する音量を低下させることができる。また、このような左ＤＳＰフィルタ４２Ｌ及び右ＤＳＰフィルタ４２Ｒは、外側の上面スピーカー３２Ｌ、３２Ｒの入力端だけに設けられても良い。これにより譜面台３６の外横の中音域の音量のみを減少させ、壁に反射する音量を低下させることができる。
【０１１７】
さらに、このような左ＤＳＰフィルタ４２Ｌまたは右ＤＳＰフィルタ４２Ｒは、電磁駆動ユニット１４の入力端だけに設けられても良い。これにより楽音装置の背面の響板１１から放射される低音域の音量のみを減少させ、壁に反射する音量を低下させることができる。また、このような左ＤＳＰフィルタ４２Ｌ及び右ＤＳＰフィルタ４２Ｒは、前面ツィーター３３Ｌ、３３Ｒの入力端だけに設けられても良い。これにより楽音装置の前面の高音域の音量のみを減少させ、壁に反射する音量を低下させることができる。
【０１１８】
図６の周波数特性は、前面ツィーター３３Ｌ、３３Ｒ、上面スピーカー３１Ｌ、３１Ｒ、３２Ｌ、３２Ｒ、電磁駆動ユニット１４に送り込まれる楽音信号の周波数特性ではなく、前面ツィーター３３Ｌ、３３Ｒ、上面スピーカー３１Ｌ、３１Ｒ、３２Ｌ、３２Ｒ、響板１１から実際に放射される音の周波数特性を測定したものである。
【０１１９】
（１２）他の実施の形態
本件発明は上記実施例に限定されず、本件発明の趣旨を逸脱しない範囲で種々変更可能である。例えば、電磁駆動ユニット（変換体／電磁駆動体／背面放音体）１４は、響板１１の下方、右方、左方、右上隅、右下隅、左下隅、左上隅に取り付けられてもよい。
【０１２０】
電磁駆動ユニット１４及び響板１１は、本楽音装置の上面、前面、左側面または右側面などに設けられてもよいし、ツィーターまたはスピーカーで代用可能である。上面スピーカー３１Ｌ、３１Ｒ、３２Ｌ、３２Ｒは、本楽音装置の前面、背面、左側面または右側面などに設けられてもよいし、電磁駆動ユニットまたはツィーターで代用可能である。前面ツィーター３３Ｌ、３３Ｒは、本楽音装置の上面、背面、左側面または右側面などに設けられてもよいし、電磁駆動ユニットまたはスピーカーで代用可能である。
【０１２１】
前面ツィーター３３Ｌ、３３Ｒ、上面スピーカー３１Ｌ、３１Ｒ、３２Ｌ、３２Ｒは単数とされてもよく、送り込まれる楽音信号はモノラル信号でもよい。電磁駆動ユニット１４は複数とされてもよく、送り込まれる楽音信号はステレオ信号／音像を形成するための複数のチャンネル信号でもよい。
【０１２２】
上記レベルの大きい凸部分は、図９及び図１０における縦軸がプラスマイナス逆になれば、レベルの小さい凹部分に入れ替わることになるし、上記レベルの小さい凹部分は、図９及び図１０における縦軸がプラスマイナス逆になれば、レベルの大きい凸部分に入れ替わることになる。
【０１２３】
当接枠３は省略されて、底板２、右下内側板４、左下内側板５、中天板７の後縁に介在帯８を介して響板１１が取り付けられるなどされてもよく、また右外側板２４、左外側板２５等の後縁に介在帯８を介して響板１１が取り付けられるなどされてもよく、当接体は楽音装置本体の一部であってもよい。
【０１２４】
介在帯８は、可撓性、弾性またはクッション性があれば、どのような素材からなっていてもよい。響板１１前面と当接枠３後面とは一部または全部重複していたが、全く重複しなくてもよい。この場合、介在帯８の一部に、響板１１前面と当接枠３後面とで挟まれない箇所ができることになる。
【０１２５】
響板１１は楽音装置本体（底板２、当接枠３、右下内側板４、左下内側板５、前面板６、中天板７）に全く接触しない状態であるが、一部接触してもよい。響板１１の全周縁には介在帯８が一部隙間あるように介在されてもよく、響板１１の全周縁と楽音装置本体との間には隙間が少々あってもよい。
【０１２６】
上記響板１１が取り付けられる楽音装置本体の、響板１１が取り付けられる側、上側、下側、右側、左側の一部に隙間があってもよい。響板１１が取り付けられる楽音装置本体の、響板１１が取り付けられる側と反対側の挿通穴９は省略されてもよい。右下内側板４及び左下内側板５または右外側板２４及び左外側板２５の一方が一部または全体が省略されてもよい。
【０１２７】
響板１１の枠棒１２の一部または全部が省略されても良いし、響板１１の響棒１３…または枠棒１２の一部または全部が省略されても良い。響板１１の響棒１３…または枠棒１２の断面形状は方形、三角形、多角形、円形、楕円、半円形、かまぼこ形、扇形など細長ければどのような形状でもよい。響棒１３…または枠棒１２の太さは均一でもよいし、細い太いが交互に入れ換わったり、中央が細くなったり太くなったり、端が太くなったり細くなったり、真直ぐなもののほか湾曲していてもよい。
【０１２８】
響棒１３…は、等間隔に取り付けられてもよいし、垂直方向／縦向きに取り付けられてもよいし、水平方向／横向きに取り付けられてもよいし、これらが混在してもよい。響棒１３…は響板１１の外面／後面／背面ではなく、内面／前面／正面にも取り付けられてもよいし、両面に取り付けられても良い。この場合、響板１１の柾目と垂直方向に延びるように取り付けられるが、柾目と平行に延びるように取り付けられてもよいし、柾目に斜めに延びるように取り付けられてもよい。
【０１２９】
響棒１３…の各間隔は、電磁駆動ユニット１４の直径より小さくてもよい。この場合、電磁駆動ユニット１４は響棒１３…の間に位置せず、響棒１３…の一本または複数に重なって取り付けられることになる。電磁駆動ユニット１４は響板１１の中心に取り付けられてもよい。響棒１３…の各間隔は、鍵盤２２の中の低音域の楽音が出力指示される側に近づくにしたがって徐々に広くなっても、徐々に狭くってなってもよい。
【０１３０】
楽音装置本体（底板２、当接枠３、右下内側板４、左下内側板５、前面板６、中天板７）は、箱型であったが、八面体、十二面体、円筒、円柱、テーパ状、ラッパ状、球形、湾曲立体など、どのような形状であってもよい。響板の形状は方形以外に、円形、多角形、環状など、平坦であればどのような形状でもよい。
【０１３１】
上記響板１１は、平坦であるが、凹条に湾曲していても良いし、凸状に湾曲していてもよい。これにより、響板１１から発生される楽音の波形は平面波ではなく、球面波になる。電磁駆動ユニット（電磁駆動体）１４は、スピーカー、ツィーターなどに置き換えられても良い。
【０１３２】
また、本件発明の装置を取り付ける楽器は、アップライトピアノ、グランドピアノ、電子ピアノ、電子オルガン、チェンバロ、電子チェンバロ、ピアニカ、電子ピアニカなど鍵盤があればどのような楽器でもよい。この場合、響板１１はほぼ垂直方向／ほぼ縦向きではなくほぼ水平方向／ほぼ横向きに配置されるので、電磁駆動ユニット１４もほぼ横向き／水平方向向きにされて取り付けられる。
【０１３３】
さらに、電磁駆動ユニット１４の取付け位置は、響板１１の端部ではなく、中央に近いところまたは中央でも良い。電磁駆動ユニット１４は、１つの響板１１に複数取り付けられてもよい。この場合、電磁駆動ユニット１４は、響板１１の両端部の互いに対称な位置に取り付けられる。電磁駆動ユニット１４からは低音ではなく、高音、中音などが出力されてもよい。
【０１３４】
さらに、上記複数種類の楽音からなる楽音信号は、複数種類の楽器、音色、音高または／及びタッチの楽音の信号からなっており、ポリフォニックに発音される楽音の信号であり、低音、中音、高音の各周波数帯域の楽音が含まれている。このような楽音信号には、楽器の弦自体、管自体、打自体の部分の楽音の信号ほか、響板部分の楽音の信号も含まれるが、弦自体、管自体、打自体の部分の楽音の信号のみでもよいし、実際のアコースティック楽器の響板部分の楽音の信号のみでもよいし、上記複数種類の楽音からなる楽音信号はＰＣＭなどのデジタル信号でも良い。
【０１３５】
（１３）他の発明の効果
［１］振動されて音を放射する平板状の楽器の響板と、  複数種類の楽音からなる楽音信号を機械的変化に変換して、上記楽器の響板を駆動させて音を放射させる変換体と、  上記響板の内面と、楽音装置における当該響板と反対側の面の内面との間に取り付けられた、両内面を繋ぐ細長い連結体とを備えた楽音装置につき、  上記連結体が取り付けられる前の上記響板の周波数特性を測定する工程と、  この測定されたレベルの異なる周波数特性のうち、レベルの大きい部分または小さい部分の周波数で当該響板を振動させて周波数特性を測定する工程と、  上記連結体が上記響板に当接する位置を切り換えて、このレベルの小さい部分の周波数特性のレベルが増加する、またはこのレベルの大きい部分の周波数特性のレベルが減少する位置を検索する工程と、  この検索された位置を上記連結体が繋がれる位置とする工程とを備えたことを特徴とする楽音装置の生産方法。
【０１３６】
［２］上記響板の周波数特性を測定する工程と、  この測定されたレベルの異なる周波数特性のうち、レベルの大きい部分または小さい部分の周波数で当該響板を振動させて周波数特性を測定する工程と、  上記響板表面に取り付けられる響棒につき、この響棒が上記響板に当接する位置を切り換えて、このレベルの小さい部分の周波数特性のレベルが増加する、またはこのレベルの大きい部分の周波数特性のレベルが減少する位置を検索する工程と、  この検索された位置を上記響棒が取り付けられる位置とする工程とを備えたことを特徴とする請求項１記載の楽音装置の生産方法。これにより、響板の周波数特性が平坦となり、響板から出力される音の周波数／音高が変化しても、音量が不用意に変化してしまうことがなくなり、全周波数／全音高にわたって均一な音量特性を達成できる。
【０１３７】
［３］上記響板表面に取り付けられる響棒が上記響板に取り付けられた後に、上記連結体は当該響板に繋げられることを特徴とする請求項１または２記載の楽音装置の生産方法。
【０１３８】
[４]上記連結体は、レベルの小さい部分の周波数特性のレベルが増加する響板の位置に取り付けられ、上記響板表面に取り付けられる響棒は、レベルの大きい部分の周波数特性のレベルが減少する響板の位置に取り付けられることを特徴とする請求項２または３記載の楽音装置の生産方法。音を響板全体に分散させる響棒の機能を発揮させることができ、響板の音を前面板に共鳴させて楽音装置全体の音量を増大させる連結棒の機能を発揮させることができる。
【０１３９】
［５］振動されて音を放射する平板状の楽器の響板と、  複数種類の楽音からなる楽音信号を機械的変化に変換して、上記楽器の響板を駆動させて音を放射させる変換体と、  上記響板の内面と、楽音装置における当該響板と反対側の面の内面との間に取り付けられた、両内面を繋ぐ細長い連結体とを備えたことを特徴とする楽音装置。
【０１４０】
［６］上記響板は上記楽音装置の後面に取り付けられ、上記連結体は上記響板内面と当該楽音装置の前板内面との間に取り付けられることを特徴とする請求項５記載の楽音装置。これにより、響板の振動／音が響板と反対側によく伝わり、響板と反対側からも音が良くでる。また、響板の振動が共振したりしてしまうことがなくなり、響板から発せられる楽音が不用意に変異してしまうことがなくなり、実際のアコースティックな楽器の楽音に近づけることができる。
【０１４１】
［７］上記響板の表面には複数の細長い響棒が取り付けられ、この響棒の各間隔は不均一であり、上記連結体または変換体はこの各響棒の間に取り付けられていることを特徴とする請求項５または６記載の楽音装置。これにより、響棒の各間隔の響板部分から発せられる楽音に高さに違いが生じ、響板の各部分の振動が共振しなくなる。
【０１４２】
［８］上記楽音装置は、高音域から低音域までの音高の異なる複数の楽音の出力を指示する鍵盤を備え、  上記変換体からは主に低音域の楽音が出力されることを特徴とする請求項５、６または７記載の楽音装置。これにより、鍵盤の低音域側の方から実際に低音域の楽音が放射され、実際の鍵盤楽器の演奏状態に近い振動・感触が得られる。
【０１４３】
［９］上記響板が取り付けられる楽音装置本体の、響板が取り付けられる側、上側、下側、右側、左側は隙間なく密封されていることを特徴とする請求項５、６、７または８記載の楽音装置。これにより、響板の左右上下から響板からの音が漏れず、響板から発せられる楽音が不用意に変異したり音量が減少したりしてしまうことがなくなる。
【０１４４】
［１０］上記響板が取り付けられる楽音装置本体の、響板が取り付けられる側と反対側には挿通穴が形成されていることを特徴とする請求項５、６、７、８または９記載の楽音装置。これにより、楽音装置の響板とは反対側に響板の音が放射され、この放射音と響板からの音とは互いに打ち消しあったり悪影響を及ぼしあったりすることがなく、響板から発せられる楽音が不用意に変異したり音量が減少したりしてしまうことがなくなり、響板の振動が楽音装置の前面にも放射され、実際のアコースティックな鍵盤楽器のような感触が得られる。
【０１４５】
[１１]高音域から低音域までの音高の異なる複数の楽音の出力の指示をする鍵盤と、  この鍵盤に対して背面側に設けられた、音を放射する背面放音体と、  この鍵盤に対して上面側に設けられ、上記背面放音体と周波数帯域の異なる周波数帯域の音を放射する上面放音体と、  この鍵盤に対して前面側に設けられ、上記背面放音体及び上面放音体と周波数帯域の異なる音を放射する前面放音体とを備えたことを特徴とする楽音装置。
【０１４６】
[１２]上記鍵盤の近傍には譜面台が設けられ、  上記上面放音体は複数設けられ、この複数の上面放音体の一部は、上記譜面台の背後に配置され、この複数の上面放音体の他の一部は、上記譜面台の手前または側部に配置されていることを特徴とする楽音装置。
【０１４７】
[１３]楽音装置の背面に壁が接近していることを検出して、上記上面放音体、前面放音体または背面放音体から放射される音の周波数成分のうち、高音域、中音域または低音域の成分を減少させることを特徴とする請求項１１または１２記載の楽音装置。これにより、壁から反射されてくる周波数帯域の成分を減少させて、全帯域にわたって均一な音量特性を実現できる。
【０１４８】
[１４]上記背面放音体、上面放音体及び前面放音体の少なくとも１つは、振動されて音を放射する楽器の響板であり、  この響板が取り付けられる側と反対側には挿通穴が形成されていることを特徴とする請求項１１、１２または１３記載の楽音装置。これにより、楽音装置の響板とは反対側に響板の音が放射され、この放射音と響板からの音とは互いに打ち消しあったり悪影響を及ぼしあったりすることがなく、響板から発せられる楽音が不用意に変異したり音量が減少したりしてしまうことがなくなり、響板の振動が楽音装置の前面にも放射され、実際のアコースティックな鍵盤楽器のような感触が得られる。
【０１４９】
[１５]上記背面放音体、上面放音体及び前面放音体の少なくとも１つは、  振動されて音を放射する楽器の響板と、  複数種類の楽音からなる楽音信号を機械的変化に変換して、上記楽器の響板を駆動させて音を放射させ、上記響板に取り付けられる電磁駆動体とから構成される、  他の少なくとも１つは、スピーカーから構成されることを特徴とする請求項１１、１２、１３または１４記載の楽音装置。これにより、響板とスピーカーとで複合的でバランスの取れた発音体を提供できる。
【０１５０】
[１６]上記背面放音体、上面放音体及び前面放音体の少なくとも１つは、振動されて音を放射する楽器の響板であり、他の少なくとも１つは複数のスピーカーであり、  この複数のスピーカーには、音像を形成するための複数のチャンネル信号が、それぞれ送られることを特徴とする請求項１１、１２、１３、１４または１５記載の楽音装置。これにより、響板とスピーカーとで複合的でバランスの取れた発音体を提供でき、しかも音像も形成できる。
【０１５１】
[１７]上記響板が取り付けられる楽音装置本体の、響板が取り付けられる側と反対側の内面と響板の内面との間には、両内面を繋ぐ細長い連結体が取り付けられていることを特徴とする請求項１１、１２、１３、１４、１５または１６記載の楽音装置。これにより、響板の振動／音が響板と反対側によく伝わり、響板と反対側からも音が良くでる。また、響板の振動が共振したりしてしまうことがなくなり、響板から発せられる楽音が不用意に変異してしまうことがなくなり、実際のアコースティックな楽器の楽音に近づけることができる。
【０１５２】
[２１]振動されて音を放射する楽器の響板と、  複数種類の楽音からなる楽音信号を機械的変化に変換して、上記楽器の響板を駆動させて音を放射させる電磁駆動体であって、この電磁駆動体は上記響板の中心からずれた位置に取り付けられ、  上記響板の表面に取り付けられた複数の細長い響棒であって、この響棒の各間隔は不均一であり、上記電磁駆動体はこの各響棒の間に取り付けられていることを特徴とする楽音装置。
【０１５３】
[２２]上記楽音装置は、高音域から低音域までの音高の異なる複数の楽音の出力を指示する鍵盤を備え、上記電磁駆動体は、上記響板上の上記鍵盤における低音域側に寄った位置に取り付けられていることを特徴とする請求項２１記載の楽音装置。これにより、鍵盤の低音域側に寄った位置から主に楽音が放射され、低音に重点を置いた楽音装置を実現できる。
【０１５４】
[２３]上記楽音装置は、高音域から低音域までの音高の異なる複数の楽音の出力を指示する鍵盤を備え、  上記響棒の各間隔は、上記鍵盤の低音域側に寄るにしたがって広くなっていることを特徴とする請求項２１または２２記載の楽音装置。これにより、響板において、鍵盤の低音域側に寄るほど、低音域の楽音の割合が増加し、実際の鍵盤楽器の演奏状態に近い振動・感触が得られる。
【０１５５】
[２４]上記楽音装置は、高音域から低音域までの音高の異なる複数の楽音の出力を指示する鍵盤を備え、  上記電磁駆動体からは主に低音域の楽音が出力されることを特徴とする請求項２１、２２または２３記載の楽音装置。これにより、鍵盤の低音域側の方から実際に低音域の楽音が放射され、実際の鍵盤楽器の演奏状態に近い振動・感触が得られる。
【０１５６】
[２５]上記響板が取り付けられる楽音装置本体の、響板が取り付けられる側と反対側の内面と響板の内面との間には、両内面を繋ぐ細長い連結体が取り付けられていることを特徴とする請求項２１、２２、２３または２４記載の楽音装置。これにより、響板の振動／音が響板と反対側によく伝わり、響板と反対側からも音が良くでる。また、響板の振動が共振したりしてしまうことがなくなり、響板から発せられる楽音が不用意に変異してしまうことがなくなり、実際のアコースティックな楽器の楽音に近づけることができる。
【０１５７】
[２６]上記電磁駆動体は、上記響板の中心から上方にずれた位置に取り付けられていることを特徴とする請求項２１、２２、２３、２４または２５記載の楽音装置。これにより、響板の振動が共振したりしてしまうことがなくなり、響板から発せられる楽音が不用意に変異してしまうことがなくなり、実際のアコースティックな楽器の楽音に近づけることができる。
【０１５８】
[２７]上記響板が取り付けられる楽音装置本体の、響板が取り付けられる側、上側、下側、右側、左側は隙間なく密封されていることを特徴とする請求項２１、２２、２３、２４、２５または２６記載の楽音装置。これにより、響板の左右上下から響板からの音が漏れず、響板から発せられる楽音が不用意に変異したり音量が減少したりしてしまうことがなくなる。
【０１５９】
[２８]上記響板が取り付けられる楽音装置本体の、響板が取り付けられる側と反対側には挿通穴が形成されていることを特徴とする請求項２１、２２、２３、２４、２５、２６または２７記載の楽音装置。これにより、楽音装置の響板とは反対側に響板の音が放射され、この放射音と響板からの音とは互いに打ち消しあったり悪影響を及ぼしあったりすることがなく、響板から発せられる楽音が不用意に変異したり音量が減少したりしてしまうことがなくなり、響板の振動が楽音装置の前面にも放射され、実際のアコースティックな鍵盤楽器のような感触が得られる。
【０１６０】
[３１]振動されて音を放射する楽器の響板と、  複数種類の楽音からなる楽音信号を機械的変化に変換して、上記楽器の響板を駆動させて音を放射させる電磁駆動体と、  楽音装置本体に設けられた、上記響板の縁が当接される当接体と、  この当接体と上記響板の縁との間に挟まれる可撓性を有する介在体とを備えたことを特徴とする楽音装置。
【０１６１】
[３２]振動されて音を放射する楽器の響板と、  複数種類の楽音からなる楽音信号を機械的変化に変換して、上記楽器の響板を駆動させて音を放射させる電磁駆動体と、  楽音装置本体に設けられた、上記響板の縁が当接される当接体と、  この当接体と上記響板の縁との間に挟まれる可撓性を有する介在体と、  上記響板は楽音装置本体に全く接触しない状態であって、上記介在体、当接体及び響板の間に隙間がない状態であり、当該介在体の厚さを０％乃至９０％圧縮する状態で、響板を当接体に押し付けて固定する固定機構とを備えたことを特徴とする楽音装置。
【０１６２】
[３３]上記響板の全周縁には上記介在体が隙間なく介在され、当該響板の全周縁と楽音装置本体との間には隙間がなく密封されていることを特徴とする請求項３１または３２記載の楽音装置。これにより、響板の周囲から響板からの音が漏れず、響板から発せられる楽音が不用意に変異したり音量が減少したりしてしまうことがなくなる。
【０１６３】
[３４]上記響板が取り付けられる楽音装置本体の、響板が取り付けられる側、上側、下側、右側、左側は隙間なく密封されていることを特徴とする請求項３１、３２または３３記載の楽音装置。これにより、響板の左右上下から響板からの音が漏れず、響板から発せられる楽音が不用意に変異したり音量が減少したりしてしまうことがなくなる。
【０１６４】
[３５]上記響板が取り付けられる楽音装置本体の、響板が取り付けられる側と反対側には挿通穴が形成されていることを特徴とする請求項３１、３２、３３または３４記載の楽音装置。楽音装置の響板とは反対側に響板の音が放射され、この放射音と響板からの音とは互いに打ち消しあったり悪影響を及ぼしあったりすることがなく、響板から発せられる楽音が不用意に変異したり音量が減少したりしてしまうことがなくなり、響板の振動が楽音装置の前面にも放射され、実際のアコースティックな鍵盤楽器のような感触が得られる。
【０１６５】
[３６]上記介在体は、上記可撓性のほか、弾性または／及びクッション性も有することを特徴とする請求項３１、３２、３３、３４または３５記載の楽音装置。これにより、響板の音が楽音装置本体に伝わらず、響板から発せられる楽音が不用意に変異したり音量が減少したりしてしまうことがなくなる。
【０１６６】
[３７]上記介在体の厚さは、０％乃至９０％、望ましくは０％乃至８０％、より望ましくは０％乃至７０％、さらに望ましくは０％乃至６０％、よりさらに望ましくは０％乃至５０％、さらにより望ましくは０％乃至４５％、よりさらに望ましくは０％乃至４０％、さらにより望ましくは０％乃至３５％、よりさらに望ましくは０％乃至３０％、さらにより望ましくは０％乃至２５％、よりさらに望ましくは０％乃至２０％、さらにより望ましくは０％乃至１５％、よりさらに望ましくは０％乃至１０％圧縮されることを特徴とする請求項３１、３２、３３、３４、３５または３６記載の楽音装置。
【０１６７】
これにより、当接体、介在体及び／または響板の間に隙間ができず、これらの間で異常な振動／音／共振が発生せず、響板から発せられる楽音が不用意に変異したり音量が減少したりしてしまうことがなくなる。
【０１６８】
[３８]上記楽音装置は鍵盤楽器であり、上記響板は、この鍵盤楽器の楽音装置の背面側に取り付けられ、楽音装置の正面側の鍵盤の下側に挿通穴が形成されていることを特徴とする請求項３１、３２、３３、３４、３５、３６または３７記載の楽音装置。これにより、響板の振動が鍵盤に伝播され、実際のアコースティックな鍵盤楽器のような感触が得られる。
【産業上の利用可能性】
【０１６９】
楽音装置の響板と他の側とが連結体で繋がれ、響板の振動／音が他の側によく伝わり、楽音装置全体としてよく音が出る。響板１１の内面中心と、響板１１と反対側の前面板６の内面との間には、両内面を繋ぐ真直ぐな連結棒１６が挟まれている。この連結棒１６によって、響板１１の振動／音が円滑に前面板６に伝わり、楽音装置全体から楽音が発せられる。
【０１７０】
電磁駆動ユニット１４に全周波数帯域信号を送り込んで響板１１を全周波数帯域で振動させ、響板１１の周波数特性を測定する。このうち、レベルの大きい凸部分の周波数の楽音信号を上記電磁駆動ユニット１４に送り込み、連結棒１６の響板１１への繋ぐ位置を順次切り換えていく。レベルの大きい凸部分の周波数特性のレベルが小さくなる位置を検索し、この検索された位置が上記連結棒１６の繋がれる位置とされる。
【０１７１】
楽音装置の背面、上面または／及び前面から、周波数帯域の異なる音が分けて放射され、楽音装置から全方向へ音が放射されて拡散され、臨場感のある演奏が実現される。鍵盤２２の背面側（後面側も含む。他でも同じ。）に設けられた電磁駆動ユニット１４及び響板１１から低音域の楽音が放射され、鍵盤２２の上面側に設けられた上面スピーカー３１Ｌ、３１Ｒ、３２Ｌ、３２Ｒから中音域の楽音が放射され、鍵盤２２の前面側に設けられた前面ツィーター３３Ｌ、３３Ｒから高音域の楽音が放射される。
【０１７２】
響板の振動が共振せず、響板から発せられる楽音が不用意に変異してしまうことがなく、実際のアコースティックな楽器の楽音が実現される。電磁駆動ユニット１４が響板１１の中心からずれた位置に取り付けられ、響板１１の振動が共振しなくなる。
【０１７３】
響板１１の表面に取り付けられた複数の細長い響棒１３の各間隔は不均一で、響棒１３の各間隔の響板１１部分から発せられる楽音に高さに違いが生じ、響板１１の振動が共振しなくなる。電磁駆動ユニット１４は各響棒１３の間に取り付けられ、響板１１が電磁駆動ユニット１４によって振動されてから、この響板１１の振動が響棒１３を通じて響板１１全体に伝達され、響板１１より響棒１３の方が先に音が伝達されず、響板１１全体に音が均一に伝わる。
【０１７４】
響板が楽音装置本体に接触せず、当該介在体の厚さを圧縮する状態で、響板を当接体に押し付けて固定することにより、響板からの振動が楽音装置全体に直接伝わってしまうことがなくなる。
【０１７５】
楽音装置の垂直な方形の当接枠３の後面と響板１１の外周縁野前面との間には、可撓性、弾性及びクッション性を有する介在帯８が挟まれ、響板１１が当接枠３に押し付けられる。これにより、響板１１からの振動が楽音装置全体に直接伝わってしまうことがないし、介在帯８、当接枠３及び響板１１の間で共振が生じることもなく、響板１１から発せられる楽音が不用意に変異してしまうことがなくなり、実際のアコースティックな楽器の楽音に近づけることができる。
【図面の簡単な説明】
【０１７６】
【図１】楽音装置の背面を示す。
【図２】楽音装置の正面を示す。
【図３】楽音装置の縦断面を示す。
【図４】楽音装置の縦断面を示す。
【図５】楽音装置の横断面を示す。
【図６】響板１１、上面スピーカー３１Ｌ、３１Ｒ、３２Ｌ、３２Ｒ、前面ツィーター３３Ｌ、３３Ｒの周波数特性を示す。
【図７】楽音装置の上面を示す。
【図８】電磁駆動ユニット１４、上面スピーカー３１Ｌ、３１Ｒ、３２Ｌ、３２Ｒ、前面ツィーター３３Ｌ、３３Ｒの駆動回路（楽音制御回路）を示す。
【図９】響棒１３…が取り付けられる前の響板１１の周波数特性の一例を示す。
【図１０】連結棒１６が取り付けられる前の響板１１の周波数特性の一例を示す。
【符号の説明】
【０１７７】
１…足部、２…底板、３…当接枠、
４…右下内側板、５…左下内側板、
６…前面板、７…中天板、
８…介在帯（介在体）、９…挿通穴、
１１…響板（背面放音体）、１２…枠棒、１３…響棒、
１４…電磁駆動ユニット（電磁駆動体／背面放音体）、
１６…連結棒（連結体）、
２１…機構箱、２２…鍵盤、２３…木ねじ、
２４…右外側板、２５…左外側板、
３１Ｌ…左上面スピーカー（内側）（上面放音体）、
３１Ｒ…右上面スピーカー（内側）（上面放音体）、
３２Ｌ…左上面スピーカー（外側）（上面放音体）、
３２Ｒ…右上面スピーカー（外側）（上面放音体）、
３３Ｌ…左前面ツィーター（前面放音体）、
３３Ｒ…右前面ツィーター（前面放音体）、
３６…譜面台、３７…放熱網、４１…パンポット回路、
４２Ｌ…左ＤＳＰフィルタ、４２Ｒ…右ＤＳＰフィルタ、
４３Ｌ…左４バンドイコライザー、４３Ｒ…４バンドイコライザー、
４４Ｌ…左アンプ、４４Ｒ…右アンプ、
４５Ｌ…左ネットワークフィルタ、４５Ｒ…右ネットワークフィルタ、
４６…３バンドイコライザー、４７…アンプ、
４８…レジスタ、４９…切換スイッチ、
５０…デコーダ、５１…壁接近センサー。
【図１】
2008175866.tif 000003
【図２】
2008175866.tif 000004
【図３】
2008175866.tif 000005
【図４】
2008175866.tif 000006
【図５】
2008175866.tif 000007
【図６】
2008175866.tif 000008
【図７】
2008175866.tif 000009
【図８】
2008175866.tif 000010
【図９】
2008175866.tif 000011
【図１０】
2008175866.tif 000012